(57)【特許請求の範囲】
【請求項１】
（Ａ）１枚の固定表示ボードと１枚の抜き差し表示ボード、（Ｂ）２枚の固定表示ボードあるいは（Ｃ）２枚の抜き差し表示ボードの（Ａ）〜（Ｃ）のいずれかの表示ボードと、該表示ボードを上下側の枠体の内側周面に形成された２条の横溝または左右側の枠体の内側周面に形成された２条の縦溝でそれぞれ支持する表示枠とを備え、前記下側の枠体又は上側の枠体の２条の横溝の長さが、前記左右の枠体で形成される表示部の横方向の開口寸法と略同一であり、該２条の横溝の両端には該２条の横溝を閉塞する盛り上がり部を有し、該上側の枠体は取り外し自在であり、該固定表示ボードは前記盛り上がり部との干渉を避ける切り欠き部を下側の両コーナーまたは上側の両コーナーに有し、且つ上下左右４辺の縁部が上下左右の枠体の横溝と縦溝に支持される形状であり、該抜き差し表示ボードは、その左右方向の寸法が、前記横溝の長さと同じとし、且つ上下２辺の縁部が上下の枠体の横溝に支持される形状であることを特徴とする両面表示具。
【請求項２】
上下側及び左右側の枠体の内側周面に形成された一方の条の横溝および縦溝と、上下側及び左右側の枠体の内側周面に形成された他方の条の横溝および縦溝との間に、更に固定表示ボードまたは抜き差し表示ボードのストック用溝が形成されたものである請求項１記載の両面表示具。
【請求項３】
１枚の固定表示ボードと１枚の抜き差し表示ボードを、上下側の枠体の内側周面に形成された２条の横溝または左右側の枠体の内側周面に形成された２条の縦溝でそれぞれ支持する両面表示具の使用方法であって、前記下側の枠体又は上側の枠体の２条の横溝の長さが、前記左右の枠体で形成される横方向の開口寸法と略同一であり、該２条の横溝の両端には該２条の横溝を閉塞する盛り上がり部を有し、該２条の中の１条の溝に、固定表示ボードを支持させて使用し、該２条の中の他の１条の溝に、抜き差し表示ボードを支持させて使用し、前記固定表示ボードを支持する場合、該固定表示ボードは前記盛り上がり部との干渉を避ける切り欠き部を下側の両コーナーまたは上側の両コーナーに有し、且つ上下左右４辺の縁部が上下左右の枠体の横溝と縦溝に支持される形態で使用され、前記抜き差し表示ボードを支持する場合、該抜き差し表示ボードは、その左右方向の寸法が、前記横溝の長さと同じとし、且つ上下２辺の縁部が上下の枠体の横溝に支持される形態で使用されるものであることを特徴とする両面表示具の使用方法。
【発明の詳細な説明】
【０００１】
【発明の属する技術分野】
本発明は、催し物会場などにおいて、見る人に情報を与える表示具に関し、詳しくは、表示内容が変わることがない表示ボードと、表示内容を変更する表示ボードの２種類の表示ボードの装着が可能な両面表示具又はその使用方法に関するものである。
【０００２】
【従来の技術】
見る人に情報を与える表示スタンドは、小売店、催し物会場などあらゆる場所で利用されている。このような表示スタンドとしては、文字、絵柄などを表した矩形状の表示ボードを、上下左右４つの枠体の内側周面に形成された周回溝あるいは上下枠体の内側周面に形成された２つの横溝で支持する表示部を有するものが知られている。該表示スタンドにおいて、表示ボードの情報内容がほとんど変更されないような場合、矩形状表示ボードの上下左右の４つの側端を、上下左右４つの枠体の内側周面に形成された溝に支持させる、所謂組み込み型のものがある。組み込み型表示ボードは少々の外力が作用しても、表示ボードが枠体から外れることがないため、表示スタンドの出し入れ、清掃などの際、取り扱いが少々乱暴でもよく、メンテナンス上都合がよい。一方、表示ボードの情報内容を頻繁に、あるいは定期的に変更したい場合、枠体部分はそのままで、表示ボードのみが取り外しできるものが都合がよい。このような抜き差し型表示スタンドとしては、表示ボードの上下の２つの側端が、上下の枠体の内側周面に形成された横溝に支持され、表示ボードの横幅が、左右の枠体で形成される横方向の開口寸法と同一又は少し短めとして、左右の側端は溝には嵌らない構造のものが知られている。すなわち、表示ボードは一旦上方に押し上げれば、下方端が下側の枠体の横溝から外れ、これを手前且つ下方に引けば取り外せる。一方、組み込む場合、表示ボードの先端を上側の枠体の横溝に対して、下方斜めから奥まで挿入し、次いで、表示ボードの下方端を下側の枠体の横溝に嵌めることで行われる。
【０００３】
【発明が解決しようとする課題】
しかしながら、表示スタンドの使用目的によっては、表示内容が変わることがない表示ボードを設置すると共に、他方で、表示内容を頻繁にあるいは定期的に変更する取り替え表示ボードを前記表示内容が変わることが無い表示ボードの近傍に設置したい場合がある。従来、このような要望に対しては、２台の表示スタンドを併設する以外に方法は無く、設置場所の制約を受けたり、見栄えが悪いなどの問題を有していた。また、上下左右の枠体の内周面に形成される２条の周回溝を有し、２枚の表示ボードを表裏に設置する表示スタンドも知られているが、この場合、抜き差し自在の表示ボードは、その横幅寸法を枠体の開口幅より若干短い寸法として、上下の縁部を上下の枠体の横溝に支持させる構造を採らざるを得ず、左右の枠体の縦溝が開口しているため、横方向に移動してしまい表示安定性に欠けるといった問題がある。一方、表示内容が変わることがない表示ボードと取り替え表示ボードを１台の表示具でどちらも使用可能とできれば、表示具の製作が１台で済み、経済的であると同時に同一意匠で統一できる。そこで、表示内容が変わることがない固定表示ボードと表示内容を変更する抜き差し表示ボードの２種類の表示ボードを、使用目的に応じて、交換使用できる片面表示具、あるいは、２種類の表示ボードを、１枚の固定表示ボードと１枚の抜き差し表示ボード、２枚の固定表示ボード、２枚の抜き差し表示ボードの３パターン表示ができる表示安定性に優れた両面表示具の提供が望まれていた。
【０００４】
従って、本発明の目的は、固定表示ボードと抜き差し表示ボードの３パターンの表示が可能な両面表示具及びその使用方法を提供することにある。
【０００５】
【課題を解決するための手段】
かかる実情において、本発明者らは上記課題を解決するため鋭意検討を行った結果、本発明を完成するに至った。すなわち、本発明（１）は、（Ａ）１枚の固定表示ボードと１枚の抜き差し表示ボード、（Ｂ）２枚の固定表示ボードあるいは（Ｃ）２枚の抜き差し表示ボードの（Ａ）〜（Ｃ）のいずれかの表示ボードと、該表示ボードを上下側の枠体の内側周面に形成された２条の横溝または左右側の枠体の内側周面に形成された２条の縦溝でそれぞれ支持する表示枠とを備え、前記下側の枠体又は上側の枠体の２条の横溝の長さが、前記左右の枠体で形成される表示部の横方向の開口寸法と略同一であり、該２条の横溝の両端には該２条の横溝を閉塞する盛り上がり部を有し、該上側の枠体は取り外し自在であり、該固定表示ボードは前記盛り上がり部との干渉を避ける切り欠き部を下側の両コーナーまたは上側の両コーナーに有し、且つ上下左右４辺の縁部が上下左右の枠体の横溝と縦溝に支持される形状であり、該抜き差し表示ボードは、その左右方向の寸法が、前記横溝の長さと同じとし、且つ上下２辺の縁部が上下の枠体の横溝に支持される形状であることを特徴とする両面表示具を提供するものである。
【０００９】
また、本発明（２）は、上下側及び左右側の枠体の内側周面に形成された一方の条の横溝および縦溝と、上下側及び左右側の枠体の内側周面に形成された他方の条の横溝および縦溝との間に、更に固定表示ボードまたは抜き差し表示ボードのストック用溝が形成されたものである前記（１）記載の両面表示具を提供するものである。
また、本発明（３）は、１枚の固定表示ボードと１枚の抜き差し表示ボードを、上下側の枠体の内側周面に形成された２条の横溝または左右側の枠体の内側周面に形成された２条の縦溝でそれぞれ支持する両面表示具の使用方法であって、前記下側の枠体又は上側の枠体の２条の横溝の長さが、前記左右の枠体で形成される横方向の開口寸法と略同一であり、該２条の横溝の両端には該２条の横溝を閉塞する盛り上がり部を有し、該２条の中の１条の溝に、固定表示ボードを支持させて使用し、該２条の中の他の１条の溝に、抜き差し表示ボードを支持させて使用し、前記固定表示ボードを支持する場合、該固定表示ボードは前記盛り上がり部との干渉を避ける切り欠き部を下側の両コーナーまたは上側の両コーナーに有し、且つ上下左右４辺の縁部が上下左右の枠体の横溝と縦溝に支持される形態で使用され、前記抜き差し表示ボードを支持する場合、該抜き差し表示ボードは、その左右方向の寸法が、前記横溝の長さと同じとし、且つ上下２辺の縁部が上下の枠体の横溝に支持される形態で使用されるものであることを特徴とする両面表示具の使用方法を提供するものである。
【００１０】
【発明の実施の形態】
本発明の実施の形態における片面表示具を図１〜図５を参照して説明する。図１は本例の片面表示具の斜視図、図２は表示ボードが未装着の片面表示具（以下、「片面表示具本体部」とも言う。）を説明する図で、（Ａ）は一部を断面および破断して示す正面図、（Ｂ）は（Ａ）のＡ―Ａ線に沿ってみた図、図３は片面表示具本体部の左上コーナー部を斜め下から見た図、図４は片面表示具本体部の右下コーナー部を斜め上から見た図、図５は表示枠に抜き差し表示ボードを装着した片面表示具を説明する図で、（Ａ）は一部を断面および破断して示す正面図、（Ｂ）は（Ａ）のＡ―Ａ線に沿ってみた図、をそれぞれ示す。
【００１１】
図１に示すように、片面表示具１は、固定表示ボードまたは抜き差し表示ボードの２種類の表示ボードのいずれか一方を、上下左右４つの枠体２ａ〜２ｄの内側周面に形成された１条の溝（図１中、不図示）で支持する片面表示具本体部分２（表示枠）と、片面表示具本体部分２を支持する支柱４、４と、平板状基台５と、キャスター６、６、６、６とからなるものである。本発明において、片面表示具本体部分を支持する部分は、上記支柱や基台に制限されず、片面表示具の表示部分を縦方向に支持するものであれば、如何なるものであってもよい。
【００１２】
表示ボードが未装着の片面表示具本体部１Ａは、図２〜図４に示すように、上側の枠体２ａの内側周面に１条の横溝８ａ、左側の枠体２ｃの内側周面に１条の縦溝８ｃ、下側の枠体２ｄの内側内周面に１条の横溝８ｅ、右側の枠体２ｂの内側周面に１条の縦溝８ｇをそれぞれ有する。これら溝は枠体の前方の内側外縁と、枠体の内側周面に形成される１条の突起により形成されるもので、具体的には、横溝８ａは、枠体２ａの前方の内側外縁と突起８１により形成され、縦溝８ｃは、枠体２ｃの前方の内側外縁と突起８３により形成され、以下、横溝８ｅ、縦溝８ｇの溝も同様の構造で形成されている。また、１条の突起は、先端に鍔部を形成し、入口の開口幅寸法より奥側の幅寸法を大きく採ることにより、抜き差し表示ボードの抜き差しが容易となるようにしている。また、上下側の枠体２ａ、２ｄの内側周面に形成された横溝８ａ、８ｅおよび左右側の枠体の内側周面に形成された縦溝８ｃ、８ｇの表示側（前方）とは反対側に、更に固定表示ボードまたは抜き差し表示ボードを収納するためのストック用溝８ｉが形成されている。すなわち、１条の突起８１、８３、８５、８７と裏板１０で形成される中溝８ｉは横溝や縦溝の幅よりもやや大きく採り、２枚のストック用表示ボードを収納できるようにしている。ストック用溝８ｉには、予備のボードや表示内容が異なる次回表示のボードを収納できるため、紛失などすることがなく、表示ボード管理が容易となる。また、枠体２ａ〜２ｄの形状としては、特に制限されず、半円断面形状、矩形断面形状、楕円断面形状などが挙げられる。
【００１３】
片面表示具本体部１Ａは、下側の枠体２ｄにおける１条の横溝８ｅの長さおよび上側の枠体２ａにおける２条の横溝８ａの長さが、左右の枠体２ｃ、２ｂで形成される横方向の開口寸法Ｗ（図１参照）と略同一、好適にはやや短めであり、該１条の横溝８ａおよび横溝８ｅの両端には該１条の横溝を閉塞する断面が略矩形の盛り上がり部７を有している。すなわち、盛り上がり部７は上下左右の枠体２ａ〜２ｄの内側周面における、従来の１条の周回状連続溝を四隅において閉塞し、横溝の長さを左右の枠体２ｃ、２ｂで形成される横方向の開口寸法Ｗと略同一にしたものである。その横溝の長さは図中、例えば、上側の枠体２ａのように、同一枠体における符号７１から符号７１までの長さである。このように、横溝長さを規定し、且つその長さを決定する盛り上がり部を設けたのは、抜き差し表示ボード３ｂが設置後、左右にずれることなく支持されると共に、抜き差しする場合、左右の枠体２ｂ、２ｃの内側縁が障害とならないようにしたためである。盛り上がり部７で規制される１条の横溝８ａあるいは横溝８ｅの長さが、左右の枠体２ｃ、２ｂで形成される横方向の開口寸法ｗより短すぎると、抜き差し表示ボード３ｂが設置された後、左右に隙間が発生して見栄えが悪くなり、また、長過ぎると左右の枠体２ｂ、２ｃの内側縁が障害となり、抜き差しができなくなる。
【００１４】
本発明において、盛り上がり部７の形状としては、横溝の長さを規制し、抜き差し表示ボード３ｂが設置後、左右にずれないものであれば、特に制限されず、四角形断面、１／３楕円形断面など、如何なる形状のものであってもよい。また、盛り上がり部７のでっぱりは枠体内に納まる程度のものでよい。また、盛り上がり部７は、本例では矩形枠体の４隅であるが、これに限定されず、矩形枠体の下方の両隅、あるいは、矩形枠体の上方の両隅のいずれかであってもよい。その際、後述する固定表示ボードのコーナー部に形成される切り欠き部は、盛り上がり部が形成される枠体のコーナー部に対応する部分に少なくとも形成されていればよい。
【００１５】
次に、本発明の第１の実施の形態例における片面表示具について図５を参照して説明する。第１の実施の形態例は片面表示具本体部１Ａにおいて、縦溝、横溝８ａ、８ｃ、８ｅ、８ｇに抜き差し表示ボード３ｂを装着し、更に、中溝８ｉに、２枚の抜き差し表示ボード３ｄを収納したものである。抜き差し表示ボード３ｂ、３ｄは、全体形状が矩形状で、横寸法は左右の枠体２ｂ、２ｃの開口寸法Ｗと略同じ、好ましくはやや短めで、縦寸法は上下の枠体２ａ、２ｄの縦方向の開口寸法より大きく、横溝８ａ、８ｅの深さを含めた内寸法より小さい。すなわち、図５中、上下の枠体２ａ、２ｄの前方の内側外縁７１１、７１２から内側の図では隠れている部分が横溝に支持され又は係る部分であり、抜き差し表示ボード３ｂの左縁３２２と、左の枠体２ｃの内側縁はほぼ同一線上に表れるため、図５では１本の線で表れている。これにより、抜き差し表示ボード３ｂの幅方向は、四隅で盛り上がり部７の横溝部分７１（盛り上がりの起点）で横方向の動きが規制される。一方、抜き差し表示ボード３ｂの縦方向は下方縁が横溝８ｅの深さ分、上方縁が横溝８ａの深さの数分の１が、上下の枠体２ａ、２ｄで支持されている。これにより、抜き差し表示ボード３ｂを一旦上方に押し上げると、下方端が下側の枠体の横溝８ｅから外れ、これを手前且つ下方に引けば取り外せる。一方、組み込む場合、抜き差し表示ボードの先端を上側の枠体２ａの横溝８ａに対して、下方斜めから奥まで挿入し、次いで、抜き差し表示ボード３ｂの下方端を下側の枠体２ｄの横溝８ｅに嵌めることで行われる。
【００１６】
一方、片面表示具１ａは、抜き差し表示ボード３ｂに代えて、図では省略する固定表示ボードを支持することもできる。この場合、表示枠２の上側の枠体２ａを表示枠２から取り外し、上部の開口部分から抜き差し表示ボード３ｂを取り外し、その後、固定表示ボードを挿入する。固定表示ボードは、全体形状が矩形状で、縦横寸法は枠体の縦横の開口寸法より大きく、横溝や縦溝を含めた枠体の縦横の最大内寸法より小さいものである。すなわち、上下左右４辺の縁部が上下左右の枠体の横溝と縦溝に支持されまたは係る部分である。また、固定表示ボードの四隅は盛り上がり部７との干渉を避ける丸み形状となっている。このため、固定表示ボードは枠体の四隅の盛り上がり部を切り欠き部で回避すると共に、上下左右の枠体で枠組みされた表示部内にほとんど隙間なく装着される。このため、固定表示ボードはズレルことなく、優れた表示安定性を有する。
【００１７】
本例の片面表示具１ａによれば、１台の表示具で固定表示ボードと抜き差し表示ボードのいずれも使用可能であり、意匠の統一が図れ、また、１台の製作費で済むため経済的である。片面表示具は１ａは上記形態の他、ストック用溝を省略することができる。すなわち、固定表示ボードや抜き差し表示ボードが支持される前記横溝および縦溝は、上下、左右の枠体の前方の内側外縁と、後方の内側外縁とで形成させてもよい。また、ストック用溝を省略し、且つ裏板１０を省略し、固定表示ボードや抜き差し表示ボードの裏面が裏側から見えるような構造であってもよい。また、本発明の片面表示具は、表示枠を複数設けて、多面多方向表示型表示具としてもよい。この場合、表示枠３個の場合、平面視が三角形のものが、表示枠４個の場合、平面視が四角形のものが好適である。
【００１８】
次に、本発明の実施の形態における両面表示具を図６〜図１１を参照して説明する。図６は本例の両面表示具の斜視図、図７は表示ボードが未装着の両面表示具（以下、「両面表示具本体部」とも言う。）を説明する図で、（Ａ）は一部を断面および破断して示す正面図、（Ｂ）は（Ａ）のＡ―Ａ線に沿ってみた図、図７は両面表示具本体部の左上コーナー部を斜め下から見た図、図８は両面表示具本体部の右下コーナー部を斜め上から見た図、図９は表側に固定表示ボードを装着し、裏側に抜き差し表示ボードを装着した両面表示具を説明する図で、（Ｂ）は一部を破断して示す縦断面、（Ａ）は（Ｂ）のＢ−Ｂ線に沿って見た一部を断面および破断して示す正面図、図１０は固定表示ボードを両面表示具本体に装着する方法を説明する図、図１１は表側に抜き差し表示ボードを装着し、裏側に固定表示ボードを装着した両面表示具を説明する図で、（Ｂ）は一部を破断して示す縦断面、（Ａ）は（Ｂ）のＣ−Ｃ線に沿って見た一部を断面および破断して示す正面図、をそれぞれ示す。
【００１９】
本例において、前記片面表示具と同一構成要素には同一符号を付して、その説明を省略し、異なる点について主に説明する。すなわち、本例の両面表示具において、前記片面表示具と異なる点は、裏板を省略した形態とし、表示枠２を構成する上下、左右の枠体の内周面に形成される横溝、縦溝を２条とし、これらに、１枚の固定表示ボードと１枚の抜き差し表示ボード、２枚の固定表示ボード、あるいは２枚の抜き差し表示ボード、のいずれか３パターンを表示できるようにしたものである。すなわち、表示ボードが未装着の両面表示具本体部１Ｂは、図６〜図８に示すように、上側の枠体２ａの内側周面に２条の横溝８ａ、８ｂ、左側の枠体２ｃの内側周面に２条の縦溝８ｃ、８ｄ、下側の枠体２ｄの内側内周面に２条の横溝８ｅ、８ｆ、右側の枠体２ｂの内側周面に２条の縦溝８ｇ、８ｈをそれぞれ有する。これら溝は枠体の両外側縁と、枠体の内側周面に形成される２条の突起により形成されるもので、具体的には、横溝８ａは、枠体２ａの前方の外側縁と突起８１により形成され、横溝８ｂは、枠体２ａの後方の外側縁と突起８２により形成され、以下、８ｃ〜８ｇの溝も同様の構造で形成されている。また、２条の突起は、先端に鍔部を形成し、入口の開口幅寸法より奥側の幅寸法を大きく採ることにより、抜き差し表示ボードの抜き差しが容易となるようにしている。また、２条の突起８１、８２で形成される中溝は横溝や縦溝８ａ〜８ｉの幅よりも大きく採り、２枚のストック用表示ボードを収納できるようにしている。
【００２０】
両面表示具本体部１Ｂは、下側の枠体２ｄにおける２条の横溝８ｅ、８ｆの長さおよび上側の枠体２ａにおける２条の横溝８ａ、８ｂの長さが、左右の枠体２ｃ、２ｂで形成される横方向の開口寸法Ｗ（図１参照）と略同一、好適にはやや短めであり、該２条の横溝８ａ、８ｂおよび横溝８ｅ、８ｆの両端には該２条の横溝を閉塞する断面が１／５円形状の盛り上がり部７を有している。すなわち、盛り上がり部７は上下左右の枠体２ａ〜２ｄの内側周面における、従来の２条の周回状連続溝を四隅において閉塞し、横溝の長さを左右の枠体２ｃ、２ｂで形成される横方向の開口寸法Ｗと略同一にしたものである。その横溝の長さは図中、例えば、上側の枠体２ａのように、同一枠体における符号７１から符号７１までの長さである。
【００２１】
次に、本発明の第１の実施の形態例における両面表示具について図９を参照して説明する。第１の実施の形態例は両面表示具本体部１Ｂにおいて、表側の縦溝、横溝８ａ、８ｃ、８ｅ、８ｇに固定表示ボード３ａを装着し、裏側の縦溝、横溝８ｂ、８ｄ、８ｆ、８ｈに抜き差し表示ボード３ｂを装着し、更に、中溝８ｉに、表側から順にストック用の固定表示ボード３ｃと抜き差し表示ボード３ｄを収納したものである。固定表示ボード３ａは、全体形状が矩形状で、縦横寸法は枠体の縦横の開口寸法より大きく、横溝や縦溝を含めた枠体の縦横の最大内寸法より小さいものである。すなわち、上下左右４辺の縁部３１１、３１２、３１３（符号３１４は不図示）、すなわち、図９中、破線より外側部分が上下左右の枠体の横溝と縦溝に支持されまたは係る部分である。また、固定表示ボード３ａの四隅は盛り上がり部７との干渉を避ける丸み形状９となっている。このため、固定表示ボード３ａは枠体の四隅の盛り上がり部７を切り欠き部９で回避すると共に、上下左右の枠体で枠組みされた表示部内にほとんど隙間なく装着される。このため、固定表示ボード３ａは、ズレルことなく、優れた表示安定性を有する。
【００２２】
固定表示ボード３ａは図１０に示すように、予め、枠体の組み付け工程において同時に組み込まれる。すなわち、先ず、下側の枠体２ｄに左右両側の枠体２ｂ、２ｃが組み付けられる。この状態において、表側の縦溝８ｃ、８ｇの上方から固定表示ボード３ａの下方端を挿入する（図１０（Ａ）、（Ｂ））。更に、縦溝８ｃ、８ｇ内をスライド移動させながら、下端部が下側枠体２ｄの裏側の横溝８ｅの支持面につくように差し込む。その後、固定表示ボード３ａの上方から上側の枠体２ａを組み付ける（図１０（Ｃ）。この組み付けでは、固定表示ボード３ａの上方縁部が枠体２ａの表側の横溝８ａに嵌るように挿入する。抜き差し表示ボード３ｂの支持方法は、次の第２の実施の形態例で説明する。
【００２３】
次に、第２の実施の形態例における両面表示具について、図１１を参照して説明する。図１１において、図１０と同一構成要素には同一符号を付して、その説明を省略し、異なる点についてのみ主に説明する。すなわち、図１１において、図１０と異なる点は、両面表示具本体部１Ｂにおいて、表側の縦溝、横溝８ａ、８ｃ、８ｅ、８ｇに抜き差し表示ボード３ｂを装着し、裏側の縦溝、横溝８ｂ、８ｄ、８ｆ、８ｈに固定表示ボード３ａを装着し、更に、中溝８ｉに、表側から順にストック用の抜き差し表示ボード３ｄと固定表示ボード３ｃを収納した点にある。
【００２４】
抜き差し表示ボード３ｂは、全体形状が矩形状で、横寸法は左右の枠体２ｂ、２ｃの開口寸法Ｗと略同じ、好ましくはやや短めで、縦寸法は上下の枠体２ａ、２ｄの縦方向の開口寸法より大きく、横溝８ａ、８ｅの深さを含めた内寸法より小さい。すなわち、図１１中、破線より外側が上下の枠体２ａ、２ｄの横溝に支持され又は係る部分であり、抜き差し表示ボード３ｂの左縁３２２と、左の枠体２ｃの奥の内側縁はほぼ同一線上に表れるため、図１１では１本の線で表れている。これにより、抜き差し表示ボード３ｂの幅方向は、四隅で盛り上がり部７の横溝部分７１（盛り上がりの起点）で横方向の動きが規制される。一方、抜き差し表示ボード３ｂの縦方向は下方縁が横溝８ｅの深さ分、上方縁が横溝８ａの深さの数分の１が、上下の枠体２ａ、２ｄで支持されている。これにより、抜き差し表示ボード３ｂを一旦上方に押し上げると、下方端が下側の枠体の横溝８ｅから外れ、これを手前且つ下方に引けば取り外せる。一方、組み込む場合、抜き差し表示ボードの先端を上側の枠体２ａの横溝８ａに対して、下方斜めから奥まで挿入し、次いで、抜き差し表示ボード３ｂの下方端を下側の枠体２ｄの横溝８ｅに嵌めることで行われる。
【００２５】
第１の実施の形態例および第２の実施の形態例において、１台の両面表示具において、横溝の長さを枠体の開口幅より僅かに小さくするように規制する盛り上がり部をその横溝の両端に設けたことにより、一方の表示面では表示内容が変わることがない固定表示ボードをほとんど緩みのない状態で設置でき、他方の表示面では表示内容を頻繁にあるいは定期的に変更する抜き差し表示ボードを左右にズレなどを生じることなく安定して設置できる。
【００２６】
本発明の両面表示具１は、その変形例として、両面表示具本体部の表側表示部および裏側表示部共に、それぞれ１枚の固定表示ボードを設置し、２枚の固定表示ボード支持型とすることもできる。固定表示ボードの設置形態および設置方法は、第１および第２の実施の形態例における固定表示ボードの設置形態および設置方法と同様である。また、他の変形例として、両面表示具本体部の表側表示部および裏側表示部共に、それぞれ１枚の抜き差し表示ボードを設置し、２枚の抜き差し表示ボード支持型とすることもできる。抜き差し表示ボードの設置形態および設置方法は、第１および第２の実施の形態例における抜き差し表示ボードの設置形態と設置方法と同様である。
【００２７】
本発明の両面表示具における表示枠は、左右対称であり、且つ前後対象（表裏同一）である。従って、本発明の明細書中の両面表示枠にかかる記載において、左右、表裏なる記載は説明の都合上、定めたものであり、特にその文言のみに限定されるものではない。
【００２８】
【発明の効果】
本発明の両面表示具及びその使用方法によれば、一方の表示面では表示内容が変わることがない固定表示ボードをほとんど緩みのない状態で設置でき、他方の表示面では表示内容を頻繁にあるいは定期的に変更する抜き差し表示ボードを左右にズレなどを生じることなく安定して設置できる。また、表示面の表裏両面において、２枚の固定表示ボードをほとんど緩みのない状態で設置でき、一方、表示面の表裏両面において、２枚の抜き差し表示ボードを左右にズレなどを生じることなく安定して設置できるなど、種々の設置形態を採ることができる。このため、１台の表示具で多種多様の表示目的を達成でき、小売店、催し物会場などで特に効果を発揮する。
【図面の簡単な説明】
【図１】本発明の実施の形態における片面表示具の斜視図である。
【図２】表示ボードが未装着の片面表示具を説明する図である。
【図３】図２の片面表示具の説明図で、（Ａ）は一部を断面および破断して示す正面図、（Ｂ）は（Ａ）のＡ―Ａ線に沿ってみた図である。
【図４】本例の片面表示具本体部の左上コーナー部を斜め下から見た図である。
【図５】本例の片面表示具本体部の右下コーナー部を斜め上から見た図である。
【図６】表示ボードが未装着の両面表示具を説明する図である。
【図７】両面表示具本体部の左上コーナー部を斜め下から見た図である。
【図８】両面表示具本体部の右下コーナー部を斜め上から見た図である。
【図９】表側に固定表示ボードを装着し、裏側に抜き差し表示ボードを装着した両面表示具を説明する図で、（Ｂ）は一部を破断して示す縦断面、（Ａ）は（Ｂ）のＢ−Ｂ線に沿って見た一部を断面および破断して示す正面図である。
【図１０】固定表示ボードを両面表示具本体に装着する方法を説明する図である。
【図１１】表側に抜き差し表示ボードを装着し、裏側に固定表示ボードを装着した両面表示具を説明する図で、（Ｂ）は一部を破断して示す縦断面、（Ａ）は（Ｂ）のＣ−Ｃ線に沿って見た一部を断面および破断して示す正面図である。
【符号の説明】
１      片面表示具
１ａ、１ｂ    両面表示具
１Ａ    片面表示具本体部
１Ｂ    両面表示具本体部
２      表示枠
２ａ〜２ｄ      枠体
３ａ    固定表示ボード
３ｂ    抜き差し表示ボード
３ｃ    ストック用固定表示ボード
３ｄ    ストック用抜き差し表示ボード
４      支柱
５      基台
６      キャスター
７      盛り上がり部
８ａ、８ｃ、８ｅ、８ｇ    表側の横溝、縦溝
８ｂ、８ｄ、８ｆ、８ｈ    裏側の横溝、縦溝
９      切り欠き部
７１      溝部の一方の端（盛り上がり部の起点）
【図１】
0004014134.tif 000002
【図２】
0004014134.tif 000003
【図３】
0004014134.tif 000004
【図４】
0004014134.tif 000005
【図５】
0004014134.tif 000006
【図６】
0004014134.tif 000007
【図７】
0004014134.tif 000008
【図８】
0004014134.tif 000009
【図９】
0004014134.tif 000010
【図１０】
0004014134.tif 000011
【図１１】
0004014134.tif 000012